(57)【特許請求の範囲】
【請求項１】
携帯情報機器を載置するための載置部を有し、当該載置部に前記携帯情報機器が載置されて前記携帯情報機器の充電を行う充電用架台であって、
前記載置部に前記携帯情報機器が載置されたときに、前記携帯情報機器の充電端子と電気的に接続可能とされた第１端子と、
前記携帯情報機器以外の他の機器の充電端子と電気的に接続可能とされた第２端子と、
前記第１端子を介して前記携帯情報機器へ電力を供給する第１電力供給ラインと、
前記第２端子を介して前記他の機器へ電力を供給する第２供給ラインと、
前記携帯情報機器の充電中に、当該携帯情報機器の発光する光の照度を検出する照度検出手段と、
前記照度検出手段が検出した照度がしきい値以上の場合、当該充電用架台が前記携帯情報機器によって使用されていることを検知し、前記照度検出手段が検出した照度がしきい値以下の場合、当該充電用架台が前記携帯情報機器によって使用されていないことを検知する使用検知部と、
当該充電用架台が前記携帯情報機器によって使用されていることを前記使用検知部が検知した場合、電力の供給ラインを前記第１供給ラインへ切り替え、当該充電用架台が前記携帯情報機器によって使用されていないことを前記使用検知部が検知した場合、電力の供給ラインを前記第２供給ラインへ切り替える電力供給ライン切替部と
を備える充電用架台。
【請求項２】
携帯情報機器を載置するための載置部を有し、当該載置部に前記携帯情報機器が載置されて前記携帯情報機器の充電を行う充電用架台であって、
前記載置部に前記携帯情報機器が載置されたときに、前記携帯情報機器の充電端子と電気的に接続可能とされた第１端子と、
前記携帯情報機器以外の他の機器の充電端子と電気的に接続可能とされた第２端子と、
前記第１端子を介して前記携帯情報機器へ電力を供給する第１電力供給ラインと、
前記第２端子を介して前記他の機器へ電力を供給する第２供給ラインと、
当該充電用架台の底面に設けられて、前記携帯情報機器が前記載置部に載置された場合に、当該充電用架台と前記携帯情報機器との荷重が加わって押されることによってスイッチオンとなるスイッチ手段と、
前記スイッチ手段がスイッチオンとなっている場合、当該充電用架台が前記携帯情報機器によって使用されていることを検知し、前記スイッチ手段がスイッチオフとなっている場合、当該充電用架台が前記携帯情報機器によって使用されていないことを検知する使用検知部と、
当該充電用架台が前記携帯情報機器によって使用されていることを前記使用検知部が検知した場合、電力の供給ラインを前記第１供給ラインへ切り替え、当該充電用架台が前記携帯情報機器によって使用されていないことを前記使用検知部が検知した場合、電力の供給ラインを前記第２供給ラインへ切り替える電力供給ライン切替部と
を備える充電用架台。
【請求項３】
外部電源の出力端子と電気的に接続可能とされた電源用端子
を更に有し、
前記第１供給ラインは、前記電源用端子から入力された電力を、前記第１端子を介して前記携帯情報機器へ供給し、
前記第２供給ラインは、前記電源用端子から入力された電力を、前記第２端子を介して前記他の機器へ供給する
請求項１又は２に記載の充電用架台。
【請求項４】
前記第２端子は、ＵＳＢコネクタである
請求項１から３のいずれか一項に記載の充電用架台。
【請求項５】
前記第１端子は、前記携帯情報機器として携帯電話の充電端子と電気的に接続可能とされる
請求項１から４のいずれか一項に記載の充電用架台。
【発明の詳細な説明】
【技術分野】
【０００１】
本発明は、充電用架台に関する。特に、本発明は、携帯情報機器を載置するための載置部を有し、載置部に携帯情報機器が載置されて携帯情報機器の充電を行う充電用架台に関する。
【背景技術】
【０００２】
携帯電話の充電には、卓上ホルダが広く利用されている。通常、卓上ホルダには、対象の携帯電話の形状に適合する載置部が形成されている。そして、載置部には、携帯電話が載置されたときに携帯電話の充電端子と電気的に接続可能とされた端子が設けられている。そして、携帯電話は、卓上ホルダの載置部に載置されることによって充電が行われることになる。
【０００３】
ところで、卓上ホルダに接続されるＡＣアダプタは、携帯パソコンや携帯オーディオ等の他の携帯情報端末用の充電器と同等の充電能力を持っている。しかしながら、卓上ホルダは、上記のように、その対象の携帯電話だけに適合するように設計されているため、その他の機器を充電するために利用することはできない。
【０００４】
このような問題を解決し得る技術としては、プリンタ装置の電源回路の商用電源から電源をとるＡＣコンセントにケーブルを介して連結されるトランスが、２つの２次側コイルで主電源用と充電用の２種類の電源を生成する装置が知られている（例えば、特許文献１参照。）。この装置においては、主電源が主電源スイッチにより入力／遮断されるが、充電用電源は主電源スイッチによる主電源の入力／遮断に拘りなく常時有効にクレードル及びＵＳＢ端子に充電用電源を供給する。
【先行技術文献】
【特許文献】
【０００５】
【特許文献１】特開２００５−１２５６３４号公報
【発明の概要】
【発明が解決しようとする課題】
【０００６】
特許文献１に記載の装置においては、クレードルに載せられた携帯電話は内蔵の充電電池に充電を行うことができ、ＵＳＢケーブルを介してＵＳＢ端子に接続される携帯電話の場合も同様に内蔵の充電電池に充電を行うことができる。しかしながら、このような装置の場合には、クレードルに載せられた携帯電話やＵＳＢケーブルを介してＵＳＢ端子に接続される携帯電話を充電するのに十分な容量の電源を備えており、高価なものとなってしまう。
【０００７】
そこで、携帯電話やそれ以外の機器をも充電することができる装置としては、上記のような卓上ホルダを利用した装置とすることが考えられる。しかしながら、例えば、既知の卓上ホルダに対して、特許文献１に記載の技術のようなＵＳＢ端子を設けただけの装置では、ＡＣアダプタの出力が対象の携帯電話１台を充電するための出力でしかないため、携帯電話とそれ以外の機器とが同時に接続された場合、対象の携帯電話への充電能力が不十分なものとなってしまう。
【課題を解決するための手段】
【０００８】
上記課題を解決するために、本発明の第１の形態は、携帯情報機器を載置するための載置部を有し、当該載置部に携帯情報機器が載置されて携帯情報機器の充電を行う充電用架台であって、載置部に携帯情報機器が載置されたときに、携帯情報機器の充電端子と電気的に接続可能とされた第１端子と、携帯情報機器以外の他の機器の充電端子と電気的に接続可能とされた第２端子と、第１端子を介して携帯情報機器へ電力を供給する第１電力供給ラインと、第２端子を介して他の機器へ電力を供給する第２供給ラインと、携帯情報機器の充電中に、当該携帯情報機器の発光する光の照度を検出する照度検出手段と、照度検出手段が検出した照度がしきい値以上の場合、当該充電用架台が携帯情報機器によって使用されていることを検知し、照度検出手段が検出した照度がしきい値以下の場合、当該充電用架台が携帯情報機器によって使用されていないことを検知する使用検知部と、当該充電用架台が携帯情報機器によって使用されていることを使用検知部が検知した場合、電力の供給ラインを第１供給ラインへ切り替え、当該充電用架台が携帯情報機器によって使用されていないことを使用検知部が検知した場合、電力の供給ラインを第２供給ラインへ切り替える電力供給ライン切替部とを備える。本発明の第２の形態は、携帯情報機器を載置するための載置部を有し、当該載置部に携帯情報機器が載置されて携帯情報機器の充電を行う充電用架台であって、載置部に携帯情報機器が載置されたときに、携帯情報機器の充電端子と電気的に接続可能とされた第１端子と、携帯情報機器以外の他の機器の充電端子と電気的に接続可能とされた第２端子と、第１端子を介して携帯情報機器へ電力を供給する第１電力供給ラインと、第２端子を介して他の機器へ電力を供給する第２供給ラインと、当該充電用架台の底面に設けられて、携帯情報機器が載置部に載置された場合に、当該充電用架台と携帯情報機器との荷重が加わって押されることによってスイッチオンとなるスイッチ手段と、スイッチ手段がスイッチオンとなっている場合、当該充電用架台が携帯情報機器によって使用されていることを検知し、スイッチ手段がスイッチオフとなっている場合、当該充電用架台が携帯情報機器によって使用されていないことを検知する使用検知部と、当該充電用架台が携帯情報機器によって使用されていることを使用検知部が検知した場合、電力の供給ラインを第１供給ラインへ切り替え、当該充電用架台が携帯情報機器によって使用されていないことを使用検知部が検知した場合、電力の供給ラインを第２供給ラインへ切り替える電力供給ライン切替部とを備える。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明においては、対象の携帯情報機器以外の機器をも充電することができる携帯情報機器用の充電用架台を提供することができる。また、この発明においては、充電用架台が対象の携帯情報機器によって使用されている場合、その他の機器を同時に充電しないようにしたので、対象の携帯情報機器の充電能力を損なわないものとすることができる。
【図面の簡単な説明】
【００１１】
【図１】一実施形態に係る卓上ホルダ１００の一例を示す図である。
【図２】一実施形態に係る卓上ホルダ１００の一例を示す図である。
【図３】卓上ホルダ１００に内蔵された電気回路の一例を示す図である。
【図４】卓上ホルダ１００に内蔵された電気回路の別の例を示す図である。
【図５】卓上ホルダ１００に内蔵された電気回路の更に別の例を示す図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１、図２は、一実施形態に係る卓上ホルダ１００の一例を示す。図１は、卓上ホルダ１００に携帯電話２００を載置した状態の側面図である。図２は、卓上ホルダ１００に携帯電話２００を載置した状態の背面図である。卓上ホルダ１００は、携帯電話２００を充電するために用いるスタンド型の拡張機器である。携帯電話２００は、無線通信を利用した、持ち歩ける電話機である。なお、卓上ホルダ１００は、この発明における「充電用架台」の一例であってよい。また、携帯電話２００は、この発明における「携帯情報機器」の一例であってよい。
【００１４】
卓上ホルダ１００は、携帯電話用端子１１０、ＵＳＢ（Ｕｎｉｖｅｒｓａｌ  Ｓｅｒｉａｌ  Ｂｕｓ）コネクタ１２０、及びＡＣアダプタ用コネクタ１３０を備えている。また、卓上ホルダ１００には、携帯電話２００を載置するための載置部１４０が形成されている。なお、携帯電話用端子１１０は、この発明における「第１端子」の一例であってよい。また、ＵＳＢコネクタ１２０は、この発明における「第２端子」の一例であってよい。また、ＡＣアダプタ用コネクタ１３０は、この発明における「電源用端子」の一例であってよい。
【００１５】
携帯電話用端子１１０は、載置部１４０の下部に設けられている。携帯電話２００が載置部１４０に載置されたときに、携帯電話２００の充電端子２１０と接触することによって、電気的に接続される。
【００１６】
ＵＳＢコネクタ１２０は、卓上ホルダ１００の背面に設けられている。ＵＳＢコネクタ１２０には、ＵＳＢコネクタを有する電子機器を、ＵＳＢケーブルを介して接続することができる。ＵＳＢコネクタ１２０に接続される電子機器は、ＵＳＢのバスパワー機能による充電を行うことができる電子機器とする。このような電子機器としては、例えば、スマートフォンやＰＤＡ（Ｐｅｒｓｏｎａｌ  Ｄｉｇｉｔａｌ  Ａｓｓｉｓｔａｎｔｓ）、デジタルオーディオプレーヤー等が挙げられる。スマートフォンは、コンピュータを内蔵し、音声通話以外に様々なデータ処理機能を持った携帯電話である。ＰＤＡは、個人用の携帯情報端末である。デジタルオーディオプレーヤーは、メモリカードや不揮発メモリ、小型ハードディスク等を内蔵し、音楽を記録・再生できる携帯機器である。なお、ＵＳＢコネクタ１２０に接続される電子機器は、この発明における「他の機器」の一例であってよい。
【００１７】
ＡＣアダプタ用コネクタ１３０は、卓上ホルダ１００の背面に設けられている。ＡＣアダプタ用コネクタ１３０には、ＡＣアダプタの出力端子が接続される。ＡＣアダプタは、コンセントから引き込んだ交流電源を直流電源に変換する装置である。なお、ＡＣアダプタは、この発明における「外部電源」の一例であってよい。
【００１８】
携帯電話用端子１１０、及びＵＳＢコネクタ１２０は、卓上ホルダ１００に内蔵された電気回路を介して、ＡＣアダプタ用コネクタ１３０とそれぞれ電気的に接続されている。卓上ホルダ１００においては、携帯電話用端子１１０、又はＵＳＢコネクタ１２０のいずれかに、ＡＣアダプタ用コネクタ１３０から入力された電力が内蔵された電気回路を介して供給されることになる。
【００１９】
図３は、卓上ホルダ１００に内蔵された電気回路の一例を示す。この電気回路は、ＡＣアダプタから出力されて、ＡＣアダプタ用コネクタ１３０から入力された電力を、携帯電話用端子１１０を介して携帯電話２００へ、又は、ＵＳＢコネクタ１２０を介して他の電子機器へ供給するための回路である。具体的には、この電気回路は、分岐点１５４を境にして、ＡＣアダプタ用コネクタ１３０から携帯電話用端子１１０へ電流が流れる回路と、ＡＣアダプタ用コネクタ１３０からＵＳＢコネクタ１２０へ電流が流れる回路とに分岐している。なお、ＡＣアダプタ用コネクタ１３０から携帯電話用端子１１０へ電流が流れる回路は、この発明における「第１電力供給ライン」の一例であってよい。また、ＡＣアダプタ用コネクタ１３０からＵＳＢコネクタ１２０へ電流が流れる回路は、この発明における「第２電力供給ライン」の一例であってよい。
【００２０】
この例の電気回路は、電流検出回路１５１、スイッチ１５２、及び電圧変更回路１５３を備えている。なお、電流検出回路１５１は、この発明における「電流検出手段」と「使用検知部」を兼ねる一例であってよい。また、スイッチ１５２は、この発明における「切替部」の一例であってよい。
【００２１】
電流検出回路１５１は、分岐点１５４よりも携帯電話用端子１１０側の監視点１５５に流れる電流を検出する。そして、電流検出回路１５１は、その検出した電流の大きさに応じて、卓上ホルダ１００が携帯電話２００によって使用されているか否かを検知する。具体的には、電流検出回路１５１は、検出した電流がしきい値以上の場合、卓上ホルダ１００が携帯電話２００によって使用されていることを検知して、スイッチ１５２がオフとなるように制御する。また、電流検出回路１５１は、検出した電流がしきい値以下の場合、卓上ホルダ１００が携帯電話２００によって使用されていないことを検知して、スイッチ１５２がオンとなるように制御する。このしきい値は、例えば、携帯電話２００が充電中であれば流れるべき電流の大きさとする。
【００２２】
電圧変更回路１５３は、ＡＣアダプタから出力されて、ＡＣアダプタ用コネクタ１３０から入力された電圧を、ＵＳＢの定格電圧へ変更するための回路である。
【００２３】
この実施形態においては、携帯電話２００が載置部１４０に載置されていて、充電中であれば、監視点１５５にしきい値以上の電流が流れることになる。したがって、電流検出回路１５１は、卓上ホルダ１００が携帯電話２００によって使用されていることを検知して、スイッチ１５２がオフとなるように制御する。すなわち、携帯電話用端子１１０と接続された携帯電話２００が充電中の場合には、ＵＳＢコネクタ１２０に他の電子機器が接続されたとしても、その電子機器は充電されることはない。
【００２４】
また、この実施形態においては、携帯電話２００が載置部１４０に載置されているか否かに拘らず、携帯電話２００が充電中でなければ、監視点１５５にしきい値以上の電流が流れることはない。したがって、電流検出回路１５１は、卓上ホルダ１００が携帯電話２００によって使用されていないことを検知して、スイッチ１５２がオンとなるように制御する。すなわち、携帯電話２００が充電中でない場合には、ＵＳＢコネクタ１２０を介して他の電子機器を充電することができるようになる。
【００２５】
図４は、卓上ホルダ１００に内蔵された電気回路の別の例を示す。この例の電気回路は、上記のスイッチ１５２と電圧変更回路１５３の他に、照度検出回路１５６を備えている。なお、照度検出回路１５６は、この発明における「使用検知部」の一例であってよい。
【００２６】
この実施形態における卓上ホルダ１００には、照度センサ１６０が更に設けられている。照度センサ１６０は、載置部１４０に携帯電話２００が載置されたときに、携帯電話２００の陰になるような、載置部１４０における携帯電話２００の背面と対向するような位置に設けられる。また、照度センサ１６０は、照度検出回路１５６と電気的に接続されている。そして、照度センサ１６０は、検出した照度に応じた電気信号を、照度検出回路１５６へ出力する。なお、照度センサ１６０は、この発明における「照度検出手段」の一例であってよい。
【００２７】
照度検出回路１５６は、照度センサ１６０から出力された電気信号の入力を受け付ける。そして、照度検出回路１５６は、その電気信号によって示される照度に応じて、卓上ホルダ１００が携帯電話２００によって使用されているか否かを検知する。具体的には、照度検出回路１５６は、照度がしきい値以下の場合、卓上ホルダ１００が携帯電話２００によって使用されていることを検知して、スイッチ１５２がオフとなるように制御する。また、照度検出回路１５６は、照度がしきい値以上の場合、卓上ホルダ１００が携帯電話２００によって使用されていないことを検知して、スイッチ１５２がオンとなるように制御する。このしきい値は、例えば、載置部１４０に携帯電話２００が載置されたときに、照度センサ１６０が携帯電話２００の陰になったときの照度とする。
【００２８】
この実施形態においては、載置部１４０に携帯電話２００が載置されると、照度センサ１６０が携帯電話２００の陰に隠れることになる。その場合、照度センサ１６０は、しきい値以下の照度を検出することになる。したがって、照度検出回路１５６は、卓上ホルダ１００が携帯電話２００によって使用されていることを検知して、スイッチ１５２がオフとなるように制御する。すなわち、載置部１４０に携帯電話２００が載置されている場合には、ＵＳＢコネクタ１２０に他の電子機器が接続されたとしても、その電子機器は充電されることはない。
【００２９】
また、この実施形態においては、載置部１４０に携帯電話２００が載置されていなければ、照度センサ１６０は、しきい値以上の照度を検出することになる。したがって、照度検出回路１５６は、卓上ホルダ１００が携帯電話２００によって使用されていないことを検知して、スイッチ１５２がオンとなるように制御する。すなわち、載置部１４０に携帯電話２００が載置されていない場合には、ＵＳＢコネクタ１２０を介して他の電子機器を充電することができるようになる。
【００３０】
しかしながら、この実施形態の場合には、卓上ホルダ１００が暗がりで使用されたり、夜間に使用されたりする場合、載置部１４０に携帯電話２００が載置されていなくても、照度センサ１６０がしきい値以下の照度を検出してしまう虞がある。
【００３１】
そこで、このような問題を解決する実施形態においては、レーザー発振器を更に設けることとする。レーザー発振器は、レーザー光を人工的に作る装置である。レーザー発振器は、キャビティと、その中に設置された媒質、及び媒質をポンピングするための装置から構成される。レーザー発振器は、照度センサ１６０と同様に、載置部１４０に携帯電話２００が載置されたときに、携帯電話２００の陰になるような、載置部１４０における携帯電話２００の背面と対向するような位置に設けられる。その際、レーザー発振器は、その光軸と照度センサ１６０の光軸とが直行するように設けられる。なお、レーザー発振器は、この発明における「発光手段」の一例であってよい。
【００３２】
この実施形態の照度検出回路は、照度検出回路１５６は、照度がしきい値以上の場合、卓上ホルダ１００が携帯電話２００によって使用されていることを検知して、スイッチ１５２がオフとなるように制御する。また、照度検出回路１５６は、照度がしきい値以下の場合、卓上ホルダ１００が携帯電話２００によって使用されていないことを検知して、スイッチ１５２がオンとなるように制御する。このしきい値は、例えば、載置部１４０に携帯電話２００が載置されたときに、レーザー発振器から発光された光を照度センサ１６０が受光したときの照度とする。
【００３３】
この実施形態においては、載置部１４０に携帯電話２００が載置されると、レーザー発振器から発光された光が携帯電話２００の筐体表面で反射して、その光を照度センサ１６０が受光することになる。その場合、照度センサ１６０は、しきい値以上の照度を検出することになる。したがって、照度検出回路１５６は、卓上ホルダ１００が携帯電話２００によって使用されていることを検知して、スイッチ１５２がオフとなるように制御する。すなわち、載置部１４０に携帯電話２００が載置されている場合には、ＵＳＢコネクタ１２０に他の電子機器が接続されたとしても、その電子機器は充電されることはない。
【００３４】
また、この実施形態においては、載置部１４０に携帯電話２００が載置されていなければ、レーザー発振器から発光した光を照度センサ１６０が受光することはない。その場合、照度センサ１６０は、しきい値以下の照度を検出することになる。したがって、照度検出回路１５６は、卓上ホルダ１００が携帯電話２００によって使用されていないことを検知して、スイッチ１５２がオンとなるように制御する。すなわち、載置部１４０に携帯電話２００が載置されていない場合には、ＵＳＢコネクタ１２０を介して他の電子機器を充電することができるようになる。
【００３５】
ところで、携帯電話２００の中には、充電中であることをユーザに知らしめるために、筐体の一部が発光する機能を持ったものがある。照度センサ１６０を利用した他の実施形態においては、この携帯電話２００の発光を検知するようにする。このような実施形態の場合、照度センサ１６０は、載置部１４０に携帯電話２００が載置されたときに、携帯電話２００の筐体が発光する光を受光し得る位置に設けられる。
【００３６】
この実施形態の照度検出回路は、照度検出回路１５６は、照度がしきい値以上の場合、卓上ホルダ１００が携帯電話２００によって使用されていることを検知して、スイッチ１５２がオフとなるように制御する。また、照度検出回路１５６は、照度がしきい値以下の場合、卓上ホルダ１００が携帯電話２００によって使用されていないことを検知して、スイッチ１５２がオンとなるように制御する。このしきい値は、例えば、載置部１４０に携帯電話２００が載置されたときに、携帯電話２００の筐体から発光された光を照度センサ１６０が受光したときの照度とする。
【００３７】
この実施形態においては、載置部１４０に携帯電話２００が載置されて、携帯電話２００が充電中であれば、携帯電話２００の筐体が発光する。照度センサ１６０は、その光を受光することによって、しきい値以上の照度を検出することになる。したがって、照度検出回路１５６は、卓上ホルダ１００が携帯電話２００によって使用されていることを検知して、スイッチ１５２がオフとなるように制御する。すなわち、携帯電話２００が充電中の場合には、ＵＳＢコネクタ１２０に他の電子機器が接続されたとしても、その電子機器は充電されることはない。
【００３８】
この実施形態においては、載置部１４０に携帯電話２００が載置されていない場合、又は、載置部１４０に携帯電話２００が載置されていても、充電中ではない場合、照度センサ１６０が携帯電話２００の筐体が発光する光を受光することはない。その場合、照度センサ１６０は、しきい値以下の照度を検出することになる。したがって、照度検出回路１５６は、卓上ホルダ１００が携帯電話２００によって使用されていないことを検知して、スイッチ１５２がオンとなるように制御する。すなわち、携帯電話２００が充電中ではない場合には、ＵＳＢコネクタ１２０を介して他の電子機器を充電することができるようになる。
【００３９】
図５は、卓上ホルダ１００に内蔵された電気回路の更に別の例を示す。この例の電気回路は、上記のスイッチ１５２と電圧変更回路１５３を備えている。
【００４０】
上記各実施形態における携帯電話用端子１１０は、卓上ホルダ１００の載置部１４０に常に露出している。このように携帯電話用端子１１０が露出している実施形態においては、携帯電話用端子１１０がショートしてしまう虞がある。そこで、この実施形態における卓上ホルダ１００には、プッシュスイッチ１７０が更に設けられて、プッシュスイッチ１７０のボタンが押下されることによって、携帯電話用端子１１０が露出するようにしている。プッシュスイッチ１７０は、例えば、携帯電話２００が載置部１４０に載置されたときに、携帯電話２００によって押下されるような位置に設けられる。また、プッシュスイッチ１７０は、卓上ホルダ１００の内部において、シーソー構造やカム構造等の機構を利用して携帯電話用端子１１０と連結される。また、プッシュスイッチ１７０は、スイッチ１５２と電気的に接続されている。そして、プッシュスイッチ１７０は、ボタンが押下されることによって、卓上ホルダ１００が携帯電話２００によって使用されているか否かを検知する。具体的には、プッシュスイッチ１７０は、ボタンが押下されている場合、卓上ホルダ１００が携帯電話２００によって使用されていることを検知して、スイッチ１５２がオフとなるように制御する。また、プッシュスイッチ１７０は、ボタンが押下されていない場合、卓上ホルダ１００が携帯電話２００によって使用されていないことを検知して、スイッチ１５２がオンとなるように制御する。なお、プッシュスイッチ１７０は、この発明における「スイッチ手段」と「使用検知部」を兼ねる一例であってよい。
【００４１】
この実施形態においては、載置部１４０に携帯電話２００が載置されると、携帯電話２００によってプッシュスイッチ１７０のボタンが押下される。したがって、プッシュスイッチ１７０は、卓上ホルダ１００が携帯電話２００によって使用されていることを検知して、スイッチ１５２がオフとなるように制御する。すなわち、載置部１４０に携帯電話２００が載置されている場合には、ＵＳＢコネクタ１２０に他の電子機器が接続されたとしても、その電子機器は充電されることはない。
【００４２】
また、この実施形態においては、載置部１４０に携帯電話２００が載置されなければ、プッシュスイッチ１７０のボタンが押下されることはない。したがって、プッシュスイッチ１７０は、卓上ホルダ１００が携帯電話２００によって使用されていないことを検知して、スイッチ１５２がオンとなるように制御する。すなわち、載置部１４０に携帯電話２００が載置されていない場合には、ＵＳＢコネクタ１２０を介して他の電子機器を充電することができるようになる。
【００４３】
なお、プッシュスイッチ１７０を設ける位置は、この実施形態における位置に限られない。例えば、プッシュスイッチ１７０は、卓上ホルダ１００の底面に設けることができる。その場合、プッシュスイッチ１７０のボタンは、載置部１４０に携帯電話２００が載置されたときに、その重さによって押下されるように設計される。
【００４４】
以上説明したように、この発明においては、携帯電話２００以外の電子機器をも充電することができる卓上ホルダ１００を提供することができる。また、この発明においては、卓上ホルダ１００が携帯電話２００によって使用されている場合、他の電子機器を同時に充電しないようにしたので、携帯電話２００の充電能力を損なわないものとすることができる。
【００４５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４６】
１００  卓上ホルダ
１１０  携帯電話用端子
１２０  ＵＳＢコネクタ
１３０  ＡＣアダプタ用コネクタ
１４０  載置部
１５１  電流検出回路
１５２  スイッチ
１５３  電圧変更回路
１５４  分岐点
１５５  監視点
１５６  照度検出回路
１６０  照度センサ
１７０  プッシュスイッチ
２００  携帯電話
２１０  充電端子
【図１】
0005557322.tif 000002
【図２】
0005557322.tif 000003
【図３】
0005557322.tif 000004
【図４】
0005557322.tif 000005
【図５】
0005557322.tif 000006